(57)【要約】【課題】簡略な工程で、ファッション性と高級感ある、金属製リング状装身具を提供する。【課題を解決するための手段】金属製リング状装身具用素材Ｂ及びデザインの選定と、金型製作工程と、圧延された素材を所定寸法と形状の打抜き工程と、打抜かれた素材表面に文字、模様、図形又はこれらの組合せ等を刻設又は穿設する工程と、刻設又は穿設された素材の面取り工程と、面取りされた素材を、製品化するための所定周径寸法への曲成工程と、製品全面又は一面の研磨、洗浄工程と、着色又はメッキ工程と、製品の払拭、乾燥工程と、製品の箱入れ工程と、より製作されることを特徴とする。【選択図】　図３
2004097735.tif 000002
【特許請求の範囲】
【請求項１】
金属製リング状装身具用の素材及びデザインの選定工程と、
選定されたデザインに適合する金型の製作工程と、
圧延された素材を所定寸法と金型に基づく形状の打抜き工程と、
打抜かれた素材表面に文字、模様、図形又はこれらの組合せ等を、刻設又は穿設工程と、
刻設又は穿設された素材の面取り工程と、
面取りされた素材を、製品化するための、所定周径寸法への曲成工程と、
製品全面又は一部の研磨、洗浄工程と、
製品への着色又はメッキ工程と、
製品の払拭、乾燥工程と、
製品の箱詰め工程と、
より製作されることを特徴とする、金属製リング状装身具。
【請求項２】
前記選定される金属製リング状装身具用の素材が、チタン又はチタン合金よりなることを特徴とする、請求項１記載の、金属製リング状装身具。
【請求項３】
前記金属製リング状装身具が、指輪、腕輪、首輪、頭飾環、足輪であることを特徴とする、請求項１ないし請求項２記載の金属製リング状装身具。
【発明の詳細な説明】
【０００１】
【発明の属する技術分野】本発明は、簡略な製作工程より製作される、ファッション性がありかつ、高級感のある金属製リング状装身具に関する。
【０００２】
【従来の技術】近年、高校生、大学生を含む男女青少年にファッションとしての金属製のリング状装身具特に、指輪等を着用する傾向が顕著である。従来、指輪等金属製のリング状装身具の製造方法としては、ダイキャスト成形法、ロストワックス法、プレス打抜き法等がある。
【０００３】
【発明が解決しようとする課題】しかしながら、上記従来の製造方法は、いずれも、大規模な設備を必要とし、またその工程が複雑でかつ、作業者に特殊技能と熟練性が要求され、作業者の確保が困難であり、したがって、製品の製作コストが高くなるという課題がある。
【０００４】
本発明は、上記の現状に鑑みてなされたもので、その目的は、作業者が特殊技能や熟練性を必要とせず、簡略な工程により、安価で、ファッション性がありかつ、高級感のある金属製リング状装身具を提供することにある。
【０００５】
【課題を解決するための手段】
請求項１に係る、金属製リング状装身具は、金属製リング状装身具用の素材及びデザインの選定工程と、選定されたデザインに適合する金型の製作工程と、圧延された素材を所定寸法と金型に基づく形状の打抜き工程と、打抜かれた素材表面に文字、模様、図形又はこれらの組合せ等を、刻設又は穿設工程と、刻設又は穿設された素材の面取り工程と、面取りされた素材を、製品化するための、所定周径寸法への曲成工程と、製品全面又は一部の研磨、洗浄工程と、製品への着色又はメッキ工程と、製品の払拭、乾燥工程と、製品の箱詰め工程と、より製作されることを特徴とするものである。
【０００６】
請求項２は、請求項１記載の、金属製リング状装身具において、前記選定される金属製リング状装身具用の素材が、チタン又はチタン合金よりなることを特徴とするものである。
【０００７】
請求項３は、請求項１ないし請求項２記載の、金属製リング状装身具において、前記金属製リング状装身具が、指輪、腕輪、首輪、頭飾環、足輪であることを特徴とするものである。
【０００８】
【発明の実施の形態】以下、本発明に係る、金属製リング状装身具についての好適な一実施形態について、図面を参照しながら説明する。図１は、その製作工程図で、図２は、指輪Ｒの素材を打抜き工程において打抜かれた形状を示し、（ａ）〜（ｃ）は、いずれも平面図で、図３は、曲成工程で製作された指輪Ｒを示し、（ａ）〜（ｃ）はいずれも斜視図で、図４は、同じく曲成工程で製作された腕輪Ａを示すもので、（ａ）〜（ｃ）は、いずれも斜視図である。
【０００９】
指輪Ｒ、腕輪Ａ等の金属製リング状装身具の製作は、まず、装身具に適する素材及びデザインの選定工程で作業は始められる。金属製リング状装身具に適する素材Ｂとして、軽量、高強度、高靱性、安価かつ耐薬性がある、チタン又はチタンと他の金属例えば、亜鉛、クロム、ニッケル、モリブデン、アルミニウム等との合金が選定され、これを、所定の厚さ例えば約１．５ｍｍ〜３．０ｍｍの帯状平板に圧延されたものが使用され、また素材Ｂの全体形状等も選定され、そのデザインに基づいて、プレス用の金型が製作される。
【００１０】
つぎに、帯状平板に圧延された素材Ｂを指輪Ｒを製作するとき、例えば、図２（ａ）〜（ｃ）に示すような形状にプレス機等で打抜き、これを所定の文字Ｗ、模様Ｄ、図形Ｐ又はこれらの組合せになるものを刻設機により刻設するか又は穿設機により穿設する。
【００１１】
次工程は、面取り工程で、指輪Ｒの素材Ｂの角部Ｂａ、Ｂｂ、Ｂｃ、Ｂｄはもちろん、刻設機又は穿設機により刻設又は穿設された、文字Ｗ、図形Ｐ等のバリや鋭角部を、例えば、やすり、サンドペーパ等で曲面化する。これは、着用者が指輪Ｒ等を着装するときに肌を傷めるのを防止するためである。
【００１２】
つづいて、曲成機による曲成工程となるが、このとき、素材Ｂに刻設又は穿設された文字Ｗ等が外向きになるように、図２（ａ）の素材Ｂは、曲成して、図３（ａ）に示す指輪Ｒが作製され、図２（ｂ）の素材Ｂ’は曲成されて図３（ｂ）に示す指輪Ｒ’が作製され、同様に、図２（ｃ）の素材Ｂ”は曲成されて図３（ｃ）に示す指輪Ｒ”となる。
【００１３】
後作業として、研磨が必要な製品は、例えば、グラインダー、サンドペーパ等により後処理が行われ、洗浄液を用いて油屑等の除去が行われ、製品によっては、着色又はメッキ作業が行われるが、着色は、公知の技術即ち、塗料吹付け法、液槽浸漬法あるいは、陽極酸化法等により、またメッキ作業は、従来の液槽浸漬法により行われ、製品の払拭、乾燥工程を経て、所定のケースへの箱詰め作業の終了で、本発明に係る、金属製リング状装身具の製作は完了する。
【００１４】
なお、上記の本発明に係る、金属製リング状装身具についての実施形態は、主に装身具の一種である指輪Ｒについて記述してきたが、例えば、図４（ａ）〜（ｃ）に示すように、腕輪Ａ、Ａ’、Ａ”はもちろん、他の金属製リング状装身具である、首輪、頭飾環、足輪等にも適用されるもので、着用者の所望する対象物により所定寸法、形状、文字Ｗ、模様Ｄ、図形Ｐ等は適宜選択されるものである。
【００１５】
【発明の効果】
本発明は、上記構成になるから以下の効果を奏する。即ち、▲１▼製造工程が比較的に簡略なために大規模な設備が不要でありかつ、特殊技能者、熟練者を必要としないので、作業者の確保も容易であり、したがって、製作コストが安価となる。▲２▼金属製リング状装身具用の素材が、チタン又はチタン合金よりなるので、その特性により、指輪Ｒや腕輪Ａ等に使用しても変形したり変色、退色しないし、皮膚炎等を起こすこともなく、かつ好みの文字Ｗ、模様Ｄ、図形Ｐ等から選択でき、ファッション性を昂めることができ、のみならず深みある銀色鏡面も現出させて、高級感を醸し出すことができる。▲３▼指輪Ｒや腕輪Ａ等の光沢、色合い、メッセージ等について、着用者の要望を取り入れて、世界で一つしかない製品を容易に製作することが可能である。
【００１６】
【図面の簡単な説明】
【図１】本発明に係る、金属製リング状装身具についての製造工程の好適な一実施形態を示す工程図である。
【図２】指輪Ｒの素材を打抜き工程において打抜かれた形状を示し、（ａ）〜（ｃ）は、いずれも平面図である。
【図３】曲成工程で製作された指輪Ｒを示し、（ａ）〜（ｃ）はいずれも斜視図である。
【図４】同じく曲成工程で製作された腕輪Ａを示すもので、（ａ）〜（ｃ）は、いずれも斜視図である。
【符号の説明】
Ｂ　　　　　　　　金属製リング状装身具に適する素材
Ｒ　　　　　　　　指輪
Ｗ　　　　　　　　文字
Ｄ　　　　　　　　模様
Ｐ　　　　　　　　図形
Ａ　　　　　　　　腕輪
【図１】
2004097735.tif 000003
【図２】
2004097735.tif 000004
【図３】
2004097735.tif 000005
【図４】
2004097735.tif 000006